(57)【特許請求の範囲】
【請求項１】
天井の躯体間隙を被覆する天井用エキスパンションジョイントにおいて、一方の躯体に回転可能に連結したホルダー材と、一端部を他方の躯体に回転可能に連結し、他端部をホルダー材の躯体間隙幅方向の中間部に回転可能かつ躯体間隙幅方向に摺動可能に連結したアーム材とを備え、躯体とホルダー材及び躯体とアーム材の各連結回転軸部位よりもホルダー材とアーム材との連結回転軸部位を上方に形成してなる構成を有することを特徴とする天井用エキスパンションジョイント。
【請求項２】
一方の躯体にホルダー材を躯体間隙長手方向に摺動可能に連結した請求項１に記載の天井用エキスパンションジョイント。
【請求項３】
ホルダー材は、一端部を回転部とし、中間部から他端部方向に摺動部を形成し、アーム材は、中間部を上方湾曲した構成を有して形成し、ホルダー材の先端部がアーム材の湾曲部に沿って回動するようにした請求項１又は２に記載の天井用エキスパンションジョイント。
【発明の詳細な説明】
【０００１】
【発明の属する技術分野】
本発明は、天井の躯体間隙を被覆する天井用エキスパンションジョイントに関する。
【０００２】
【従来の技術】
天井用のエキスパンションジョイントとしては、例えば、特開２０００−２４０１７６に開示されているものが知られており、このエキスパンションジョイント１０１は、図８（ａ）に示すように、躯体１０２と天井材１０３の間隙１０４を覆うようにカバー材１０５が設置されている。カバー材１０５は、躯体１０２に回転可能に取り付けられ、間隙が狭くなったときには、図８（ｂ）に示すように、カバー材１０５が天井材１０３の上側に載り上げて変動を吸収することができる。
【０００３】
【発明が解決しようとする課題】
しかし、上記エキスパンションジョイント１０１では、天井材１０３の上側にカバー材１０５が載り上げ変動を吸収する構成としているため、天井材１０３の上側の幅Ａを可動量以上の空間部としておく必要があり、そのため天井材１０３の張出しが長くなり天井材１０３の先端がダレてしまうことが起こり、それに対処するため補強等しなければならず、施工上の問題となっていた。
【０００４】
そこで本発明は、上記の如き課題を解決すると共に新たな構成を発想し、間隙幅内に納まる構成及び作動で、あらゆる方向の変動を吸収できる天井用エキスパンションジョイントを提供することにある。
【０００５】
【課題を解決するための手段】
本発明は、天井の躯体間隙を被覆する天井用エキスパンションジョイントにおいて、一方の躯体に回転可能に連結したホルダー材と、一端部を他方の躯体に回転可能に連結し、他端部をホルダー材の躯体間隙幅方向の中間部に回転可能かつ躯体間隙中方向に摺動可能に連結したアーム材とを備え、躯体とホルダー材及び躯体とアーム材の各連結回転軸部位よりもホルダー材とアーム材との連結回転軸部位を上方に形成してなる構成を有することを特徴とする天井用エキスパンションジョイントとした。
【０００６】
このようにすることにより、間隙が躯体間隙幅方向に狭くなった場合、躯体とホルダー材及び躯体とアーム材の各連結回転軸部位よりも上方に位置しているホルダー材とアーム材との連結回転軸部位に負荷が加わり、この応力を受け、またホルダー材及びアーム材の一端が回転可能に、ホルダー材の中間部でアーム材と回転可能に連結されていることにより、ホルダー材及びアーム材は上方へ立ち上がり、躯体間隙幅内での回転動作で躯体変動を吸収することができる。
また、間隙が躯体間隙幅方向に広くなった場合、アーム材は、ホルダー材の中間部で摺動可能に連結されているため、アーム材がホルダー材上を摺動することにより変動を吸収できる。
なお、上記構成は躯体間隙奥行き方向への躯体変動もそのまま吸収することができる。
【０００７】
ホルダー材は、躯体に躯体間隙長手方向に摺動可能となるように連結するのが好ましく、このようにすれば、躯体間隙長手方向にも摺動することができるので、あらゆる方向の変動に対して追従できるエキスパンションジョイントとなる。
【０００８】
ホルダー材は、一端部を回転部とし、中間部から他端部方向に摺動部を形成し、アーム材は、中間部を上方湾曲した構成を有して形成し、ホルダー材の先端部がアーム材の湾曲部に沿って回動するようにしてもよく、このようにすれば、アーム材及びホルダー材が持ち上がっても下方からはホルダー材の下面に取り付けた天井材しか見えず、見栄え的に優れたものとすることができる。
【０００９】
なお、躯体間隙幅方向とは、隣接躯体が互いに接近及び離反する方向であり、躯体間隙長手方向とは、隣接躯体が互いに水平方向に横摺れする方向であり、躯体間隙奥行き方向とは、上記幅方向及び長手方向と直交する方向である。
【００１０】
【発明の実施の形態】
以下に本発明の一実施例を図面に基づいて説明する。
図１は、本発明の天井用エキスパンションジョイントの第一実施例の側面図、図２は、図１の分解斜視図、図３は、図１の間隙が狭くなった場合の動作状態を示した側面図、図４は、図１の間隙が広くなった場合の動作状態を示した側面図、図５は、第二実施例のホルダー材とアーム材の概略斜視図、図６は、第三実施例のホルダー材とアーム材の概略分解斜視図、図７（ａ）は、図６の間隙が狭くなった場合の動作状態を示した概略側面図、（ｂ）は、図６の間隙が広くなった場合の動作状態を示した概略側面図である。
【００１１】
図１に示すように、第一実施例の天井用エキスパンションジョイント１は、ホルダー材２、アーム材３、摺動材４、ホルダー材固定部５及びアーム材固定部６を主な構成として備えている。
【００１２】
ホルダー材２は、図１及び図２に示すように、略中央部位で断面略クランク状に折曲した平板であり、躯体７Ａ側に連結軸２１を挟持できるようにロール状に形成した回転部２２を設け、そこから他方の躯体７Ｂ側に平板状に延設し、その先端下面を凹状に下方を開口させ、天井材２３を取り付けることができる天井材取付具２４を固定する固定部２５とし、固定部２５の上方から略鉛直上方に立ち上がり部を設け、さらに折曲して躯体７Ｂ側に向かい若干下方傾斜した板状の摺動部２６を設け、その先端は、天井材取付具２４に当接する下折片２７と上方に傾斜して立ち上がり、アーム材固定部６に載置して係止できるように形成した案内部２８を設けている。案内部２８の先端略中央には、アーム材３挿通用の切欠部２９を形成している。
ホルダー材２は、回転部２２に連結軸２１を挟持させホルダー材固定部５に回転可能に連結するようにし、また固定部２５には、天井材取付具２４をビス２５ａなどにて固定し、天井材取付具２４に天井材２３を取付固定できるようにしている。
【００１３】
アーム材３は、円弧状立ち上がり腕部３１、略直線状腕部３２、摺動材４と連結する垂下連結部３３を連続形成して上向き湾曲状とするとともに垂下連結部３３の上側に湾曲外側にストッパー３４を突設してある。アーム材３は、腕部３１の下端に穿設した連結孔３５に連結軸３６を挿通してアーム材固定部６と回転可能に連結し、また垂下連結部３３の下端に穿設した連結孔３７に連結軸３８を挿通して摺動材４と回転可能に連結している。
腕部３１は、垂下連結部３３の連結孔３７を中心とし、腕部３１の連結孔３５と連結孔３７を半径とする円弧状に形成するのが好ましく、また、ホルダー材２が持ち上がる角度を規制する任意箇所で腕部３１を折曲し、腕部３２を連続形成するのが好ましい。
躯体間隙に取り付けた際、連結軸３８の連結回転軸部位Ａは、連結軸２１の連結回転軸部位Ｂ及び連結軸３６の連結回転軸部位Ｃよりも上方に位置するようにし、連結回転軸部位Ｂ、連結回転軸部位Ａ及び連結回転軸部位Ｃが１６０度の位置関係とすることが好ましい。
【００１４】
摺動材４は、ホルダー材２の摺動部２６を摺動可能に挟持できるＣチャンネル形状の挟持部４１を形成し、躯体７Ａ側に挟持部４１の上面４１ａ内の一部を切り起こし、略垂直に立ち上げて連結面４２を形成し、その面内にアーム材３の垂下連結部３３の連結孔３７と連結軸３８を介して連結できる連結孔４３を穿設し、上面４１ａの躯体７Ａ側を上方へ折曲し、さらに、その先端をアーム材３のストッパー３４と対面するように外側に折曲して係止面４４を形成している。係止面４４のストッパー係止部位には、挿通孔４５を穿設し、挿通孔４５に溶接等によりナット４６を固着して、調整用ボルト４７を締結できるようにし、調整用ボルト４７の先端は、アーム材３のストッパー３４に当接して、アーム材３の過回転防止、言い換えれば垂下連結部３３の下端位置、すなわち天井材２３の天井面位置の位置決め機能を果たしている。調整用ボルト４７を調整することにより、ホルダー材２を水平に調整するとともに躯体７Ａ、７Ｂ面（天井面）との面一調整をすることができるようにしてある。
【００１５】
ホルダー材固定部５は、固定部材５１、摺動片５２及び軸固定片５３を備えており、固定部材５１は、断面略Ｌ字状の板材であり、上面５１ａには、躯体７Ａに取り付けるためのボルト等を挿通できる取付孔５１ｂが穿設されている。側面５１ｃ上方には、摺動片５２を摺動可能に挟持できる断面略Ｃ形状の挟持部５４を形成しており、下方には躯体間隙方向に垂直に折曲し、側面５１ｃ上に目隠しのためのゴム材５５などを取り付けることができる。
【００１６】
摺動片５２は、固定部材５１の挟持部５４に挟持される摺動面５６の上方の両側方寄りを躯体間隙側に垂直に折曲し、軸固定片５３を取り付ける固着面５７を形成し、面上にビス等を締結できる固着孔５７ａを穿設している。
軸固定片５３は、摺動片５２の固着面５７に取り付ける略矩形板状の取付面５８に固着孔５７ａと同位置に取付孔５８ａを穿設し、摺動片５２に取り付けられるようにしている。取付面５８から垂直下方に折曲し、さらに、その両端を躯体間隙側に折曲して軸固定面５９を形成し、面上に連結軸２１を挿通できるように軸孔５９ａを穿設している。
【００１７】
アーム材固定部６は、固定部材６１及びアーム材固定具６２Ａ、６２Ｂを備えており、固定部材６１は、略矩形板状の上面６１ａに躯体７Ｂに取り付けるためのボルト等を挿通できる取付孔６１ｂを穿設し、上面６１ａから躯体間隙側に下方傾斜させた傾斜面６１ｃを形成し、その下方にアーム材固定具６２Ａ、６２Ｂを固定できる固定部６３を設けている。固定部６３は、水平に設けた固定面６３ａの上方に傾斜面６１ｃの下端から躯体間隙側に隆起させた突部６３ｂを形成し、また固定面６３ａの躯体間隙側を上方に隆起させた突部６３ｃを形成してアーム材固定具６２Ａ、６２Ｂを挟持できるようにしている。固定面６３ａ上にはアーム材固定具６２Ａ、６２Ｂをビス等で締結するための締結孔６３ｄが穿設されている。固定部６３の先端は、下方に折曲し、さらに、その下端を躯体間隙方向に垂直に折曲し、面上に目隠しのためのゴム材５５などを取り付けることができるようにしてある。
【００１８】
アーム材固定具６２Ａ、６２Ｂは、略矩形板状の固定面６４に固定部材６１の固定部６３に固定するための固定孔６４ａを穿設し、一端を上方に垂直に折曲してアーム材取付面６５を形成し、その先端を内方に垂直に折曲し、通常時ホルダー材の案内部２８を載置できる案内片６６を形成している。アーム材取付面６５上には、連結軸３６を挿通するための軸孔６５ａが穿設されている。また、固定面６４のアーム材取付面６５の両脇から腕部６７ａ、６７ｂを延設し、その一方の腕部６７ａをクランク状に折曲している。
アーム材固定具６２Ａ、６２Ｂを取り付ける際は、アーム材固定具６２Ａ、６２Ｂのアーム材取付面６５を対面させ、その間にアーム材３を挟み、連結軸３６を軸孔６５ａ及び連結孔３５に挿通させて回転可能に固定し、また腕部６７ａ、６７ｂは、クランク状に折曲した腕部６７ａの下方に他方の腕部６７ｂが入り込むようにする。そして、固定孔６４ａを固定部材６１の締結孔６３ｄに合わせてビス等で締結固定する。
【００１９】
以下に、上記天井用エキスパンションジョイント１の動作態様を示す。
通常時は、図１に示すように、躯体７Ａ、７Ｂ間の間隙７１を天井材２３で被覆しており、天井用エキスパンションジョイント１が躯体間隙長手方向に天井材２３を支えるように複数個設置してある。この際、ホルダー材２は、その躯体７Ａ側は連結軸２１にてホルダー材固定部５に、躯体７Ｂ側は案内部２８がアーム材固定部６の案内片６６上に載置することにより支持されている。
ホルダー材２を水平調整したい場合は、調整用ボルト４７を回転させることにより調整できる。
【００２０】
間隙７１が躯体間隙幅方向に狭くなった場合は、図３に示すように、連結回転軸部位Ａが、通常時、連結回転軸部位Ｂと連結回転軸部位Ｃよりも上方となる位置に形成されているので、連結回転軸部位Ａに負荷がかかり、この応力によりホルダー材２及びアーム材３は、上方へ持ち上がり、躯体７Ａ、７Ｂの変動を吸収することができる。このような動きをしても、図に示すように、各部材は間隙７１の幅内でほぼ納まる構成となっている。
【００２１】
間隙７１が躯体間隙幅方向に広くなった場合は、図４に示すように、ホルダー材２の摺動部２６とアーム材３に連結している摺動材４とが摺動可能に連結されているため、摺動材４が摺動部２６を摺動することにより、変動を吸収することができる。
【００２２】
躯体間隙長手方向に変動が生じた場合は、摺動片５２の摺動面５６が固定部材５１の挟持部５４と摺動可能に連結されているため、摺動面５６が挟持部５４内を摺動することにより、変動に追従することができ、上記と合わせることにより、あらゆる方向の変動に対して対応することができる。
【００２３】
図５に示す第二実施例は、ホルダー材２を断面略コの字状に折曲した板材とし、躯体７Ａ寄りに連結孔８１を側面８２の下方部位に穿設し、その上方を肉落しのために略矩形に切り欠き、他端には、躯体７Ａに向けて下方傾斜させた案内部８３を形成している。また、略中央から案内部８３側にかけて、側面８２の上方部位に長孔の摺動部８４を設けている。
アーム材３は、断面略コの字状の板材とし、円弧状に形成した腕部３１の下方には、躯体７Ｂに連結するための連結孔８５が穿設されている。また、腕部３１を所定の箇所にて折曲し、略直線状腕部３２とし、その先端に連結孔８６を穿設し、この連結孔８６及び前記摺動部８４を連結軸８７を介して回転及び摺動可能に連結している。なお、摺動部８４の長孔の位置は、ホルダー材２の連結孔８１及びアーム材３の連結孔８５よりも上方に位置するようにする。
このような形状としても、第一実施例と同様の効果が得られ、板材を折曲し、形成してあるため、安価に、また容易に作成することができる。
【００２４】
図６に示す第三実施例は、ホルダー材２を、略矩形状の板材の躯体７Ａ側を切り欠き半割形状とし、躯体７Ａ寄り下部に躯体７Ａと連結する連結孔９１を穿設している。また、躯体７Ｂ寄りの上方には、略中央から躯体７Ｂ側に向けて長孔を穿設して摺動部９２としている。
アーム材３は、略矩形状の板材の略中央を円弧状に膨出させ、膨出面９３を形成し、面上に連結軸９４を挿通する連結孔９５を穿設している。また、アーム材３の躯体７Ｂ寄り下部には、躯体７Ｂと連結する連結孔９６を穿設し、躯体間隙長手方向には、天井材を取り付けることができる天井材取付具２４が設けられている。設置する際は、アーム材３でホルダー材２を挟むようにし、連結孔９５及び摺動部９２を連結軸９４を介して回転及び摺動可能に連結する。なお、摺動部９２の長孔の位置は、ホルダー材２の連結孔９１及びアーム材３の連結孔９６よりも上方に位置するようにする。
このようにすれば、間隙７１が、躯体間隙幅方向に狭くなった場合は、図７（ａ）に示すように、ホルダー材２が、持ち上がると、連結軸９４にて回転可能に連結してあるためアーム材３も持ち上がり、変動を吸収することができる。
躯体間隙幅方向に広くなった場合は、図７（ｂ）に示すように、アーム材３に連結してある連結軸９４が、ホルダー材２の摺動部９２と摺動可能に連結してあるため、ホルダー材２及びアーム材３が離反する方向に摺動し、変動を吸収することができる。
【００２５】
【発明の効果】
本発明の天井用エキスパンションジョイントは、ホルダー材及びアーム材を躯体に回転可能に設置し、これらを回転及び摺動可能に連結することにより、躯体間隙幅方向に変動が生じても間隙の幅内で変動を吸収することができ、また、ホルダー材を躯体間隙長手方向に摺動可能に連結することにより躯体間隙長手方向の変動にも対応でき、あらゆる方向の変動に対応できる天井用エキスパンションジョイントとすることができる。
【図面の簡単な説明】
【図１】本発明の天井用エキスパンションジョイントの第一実施例の側面図である。
【図２】図１の天井用エキスパンションジョイントの分解斜視図である。
【図３】図１の間隙が狭くなった場合の動作状態を示した側面図である。
【図４】図１の間隙が広くなった場合の動作状態を示した側面図である。
【図５】本発明の天井用エキスパンションジョイントの第二実施例のホルダー材とアーム材の概略斜視図である。
【図６】本発明の天井用エキスパンションジョイントの第三実施例のホルダー材とアーム材の概略分解斜視図である。
【図７】（ａ）は、図６の間隙が狭くなった場合の動作状態を示した概略側面図、（ｂ）は、図６の間隙が広くなった場合の動作状態を示した概略側面図である。
【図８】（ａ）は、従来例の天井用エキスパンションジョイントの側面図、（ｂ）は、（ａ）の間隙が狭くなった場合の動作状態を示した側面図である。
【符号の説明】
１  天井用エキスパンションジョイント
２  ホルダー材
２１  連結軸
２２  回転部
２３  天井材
２４  天井材取付具
２５  固定部
２５ａ  ビス
２６  摺動部
２７  下折片
２８  案内部
２９  切欠部
３  アーム材
３１  腕部
３２  腕部
３３  垂下連結部
３４  ストッパー
３５  連結孔
３６  連結軸
３７  連結孔
３８  連結軸
４  摺動材
４１  挟持部
４１ａ  上面
４２  連結面
４３  連結孔
４４  係止面
４５  挿通孔
４６  ナット
４７  調整用ボルト
５  ホルダー材固定部
５１  固定部材
５１ａ  上面
５１ｂ  取付孔
５１ｃ  側面
５２  摺動片
５３  軸固定片
５４  挟持部
５５  ゴム材
５６  摺動面
５７  固着面
５７ａ  固着孔
５８  取付面
５８ａ  取付孔
５９  軸固定面
５９ａ  軸孔
６  アーム材固定部
６１  固定部材
６１ａ  上面
６１ｂ  取付孔
６１ｃ  傾斜面
６２Ａ、６２Ｂ  アーム材固定具
６３  固定部
６３ａ  固定面
６３ｂ  突部
６３ｃ  突部
６３ｄ  締結孔
６４  固定面
６４ａ  固定孔
６５  アーム材取付面
６５ａ  軸孔
６６  案内片
６７ａ、６７ｂ  腕部
７Ａ、７Ｂ  躯体
７１  間隙
８１  連結孔
８２  側面
８３  案内部
８４  摺動部
８５  連結孔
８６  連結孔
８７  連結軸
９１  連結孔
９２  摺動部
９３  膨出面
９４  連結軸
９５  連結孔
９６  連結孔
１０１  エキスパンションジョイント
１０２  躯体
１０３  天井材
１０４  間隙
１０５  カバー材
【図１】
0003586263.tif 000002
【図２】
0003586263.tif 000003
【図３】
0003586263.tif 000004
【図４】
0003586263.tif 000005
【図５】
0003586263.tif 000006
【図６】
0003586263.tif 000007
【図７】
0003586263.tif 000008
【図８】
0003586263.tif 000009